(57)【要約】【課題】ＡＣプラグや変換プラグ等のコネクタ要素を電気機器本体に対して交換可能に構成された電気機器において、コネクタ要素を確実に固定する。【解決手段】電気機器本体２の取付面２１ｘにプラグ３が着脱可能に設けられた電気機器１００であって、プラグ３が取付面２１ｘに取り付けられた状態で、取付面２１ｘに垂直な方向において互いに係合するプラグ側第１係合部５１及び本体側第１係合部５２からなる第１係合構造５と、プラグ３が取付面２１ｘに取り付けられた状態で、取付面２１ｘの面方向において互いに係合するプラグ側第２係合部６１及び本体側第２係合部６２からなる第２係合構造６とを備える。【選択図】図７
2015125867.tif 000002
【特許請求の範囲】
【請求項１】
電気機器本体に設定された取付面にコネクタ要素が着脱可能に設けられた電気機器であって、
前記コネクタ要素が前記取付面に取り付けられた状態で、前記取付面に垂直な方向において互いに係合するコネクタ側第１係合部及び本体側第１係合部からなる第１係合構造と、
前記コネクタ要素が前記取付面に取り付けられた状態で、前記取付面の面方向において互いに係合するコネクタ側第２係合部及び本体側第２係合部からなる第２係合構造とを備える電気機器。
【請求項２】
前記コネクタ側第２係合部は、前記コネクタ要素が前記取付面に取り付けられた状態で、前記本体側第２係合部より前記取付面の面方向に沿った取り付け方向側にある請求項１記載の電気機器。
【請求項３】
前記コネクタ要素を前記取付面に着脱可能に固定するロック機構を備える請求項１又は２記載の電気機器。
【請求項４】
前記コネクタ要素を前記電気機器本体に接触させて回転させることにより、前記コネクタ要素が前記取付面に取り付けられる請求項１乃至３の何れか一項に記載の電気機器。
【請求項５】
前記コネクタ要素は、前記取付面に繋がる前記電気機器本体の側面に接触させて回転させることにより取り付けられる請求項４記載の電気機器。
【請求項６】
前記コネクタ要素を取り付ける際の回転前半段階で、前記電気機器本体に対して前記コネクタ要素が位置決めされて、回転後半段階で、前記ロック機構により前記コネクタ要素が前記取付面に固定される請求項４又は５記載の電気機器。
【請求項７】
前記電気機器本体が、前記コネクタ要素の接触端子に接触可能に設けられた受け端子を有する回路基板を備え、
前記コネクタ要素が前記取付面に固定された状態において、前記受け端子が、前記接触端子に接触して弾性変形しており、
前記ロック機構が解除されると、前記コネクタ要素が、前記受け端子の弾性復帰力によって、取り外し方向に向かって移動するように構成されている請求項３乃至６の何れか一項に記載の電気機器。
【請求項８】
前記ロック機構を解除されると、前記コネクタ要素が、前記受け端子の弾性復帰力によって、所定の接触部を回転中心として取り外し方向に向かって回転移動する請求項７記載の電気機器。
【請求項９】
前記コネクタ要素を取り付ける際に前記接触端子が前記受け端子を押圧する方向が、前記回路基板の基板平面に略垂直な方向である請求項７又は８記載の電気機器。
【請求項１０】
前記コネクタ側第２係合部は、前記電気機器本体の取付面に形成された開口部に挿入される中空部を有する挿入部であり、前記接触端子が、前記中空部内に設けられている請求項７乃至９の何れか一項に記載の電気機器。
【請求項１１】
前記コネクタ側第二係合部は、前記電気機器本体に設けたガイド部に接触して移動する請求項１乃至１０の何れか一項に記載の電気機器。
【請求項１２】
前記ガイド部は円弧状に形成されている請求項１１記載の電気機器。
【発明の詳細な説明】
【技術分野】
【０００１】
本発明は、電気機器本体にＡＣプラグや変換プラグ等のコネクタ要素が着脱可能に設けられた電気機器に関するものである。
【背景技術】
【０００２】
従来の電気機器として、例えば特許文献１や特許文献２に示すように、電気機器本体に設けられたＡＣプラグに、外国のコンセントに適合する変換プラグを装着して、各国のコンセントに適合可能とするものがある。
【０００３】
ところが、この構成の電気機器では、変換プラグを装着して使用する場合、電気機器本体に設けられたＡＣプラグは、不要な部品となってしまう。このため、ＡＣプラグや変換プラグ等のコネクタ要素を電気機器本体に対して交換可能に構成するものが考えられている。つまり、電気機器本体からＡＣプラグを取り外して、変換プラグを取り付ける構成が考えられている。
【０００４】
具体的には、図８に示すように、電気機器本体の取付面に対してコネクタ要素をスライドさせて装着する構成が考えられている。より詳細には、電気機器本体に形成されたスライド溝に沿って、コネクタ要素に形成された突条部をスライドさせていき、所定の固定位置において、ロック機構により固定する構成である。ロック機構としては、電気機器本体に設けられた可動する係止爪等の係止部と、コネクタ要素に設けられ、当該係止爪が係止する凹部等の被係止部とから構成されている。なお、係止部は、ばね等により電気機器本体に対して移動可能に設けられている。
【０００５】
しかしながら、上記の構成では、コネクタ要素の取り外し方向においては、電気機器本体とコネクタ要素とが、ロック機構の係止爪及び被係止部のみにより固定されているにすぎないので、ロック機構（例えば係止部等の可動部や被係止部等）の摩耗や劣化等によりコネクタ要素の固定が不十分になり、コネクタ要素がガタついたり、電気機器本体側との接触不良を起こす恐れがある。また、外部からの衝撃によって、コネクタ要素が不意に外れてしまう恐れがある。なお、これらを解消するために、ロック機構を複雑な構成にしたり、複数設けたり、大型化させたりすることも考えられるが、電気機器本体が大型化してしまうし、また、部品点数が増えるため高価なものとなってしまい得策とは言えない。
【先行技術文献】
【特許文献】
【０００６】
【特許文献１】特開２０１２−１６２２８号公報
【特許文献２】特開２００７−５２９９８号公報
【発明の概要】
【発明が解決しようとする課題】
【０００７】
そこで本発明は、上記問題点を解決すべくなされたものであり、ＡＣプラグや変換プラグ等のコネクタ要素を電気機器本体に対して交換可能に構成された電気機器において、コネクタ要素を確実に固定することができることをその主たる課題とするものである。
【課題を解決するための手段】
【０００８】
すなわち本発明に係る電気機器は、電気機器本体に設定された取付面にコネクタ要素が着脱可能に設けられた電気機器であって、前記コネクタ要素が前記取付面に取り付けられた状態で、前記取付面に垂直な方向において互いに係合するコネクタ側第１係合部及び本体側第１係合部からなる第１係合構造と、前記コネクタ要素が前記取付面に取り付けられた状態で、前記取付面の面方向において互いに係合するコネクタ側第２係合部及び本体側第２係合部からなる第２係合構造とを備える。
【０００９】
このような電気機器であれば、取付面に垂直な方向において係合する第１係合構造と、取付面の面方向において係合する第２係合構造とを有するので、コネクタ要素を電気機器本体に確実に固定することができる。
つまり、本発明では、取付面に垂直な方向において、コネクタ要素に設けられたコネクタ側第１係合部と、電気機器本体に設けられた本体側第１係合部とが互いに係合するため、当該垂直方向に力が加わっても、コネクタ要素が電気機器本体から外れ難い。また、取付面の面方向において、コネクタ要素に設けられたコネクタ側第２係合部と、電気機器本体に設けられた本体側第２係合部とが互いに係合するため、当該取付面の面方向に力が加わっても、コネクタ要素が電気機器本体から外れ難い。
【００１０】
前記コネクタ側第２係合部は、前記コネクタ要素が前記取付面に取り付けられた状態で、前記本体側第２係合部より前記取付面の面方向に沿った取り付け方向側にあることが望ましい。
これならば、取付面の面方向において、コネクタ要素に設けられたコネクタ側第２係合部と、電気機器本体に設けられた本体側第２係合部とが互いに係合するため、当該取付面の面方向に力が加わっても、コネクタ要素が電気機器本体から外れ難い。
【００１１】
前記コネクタ要素を前記取付面に着脱可能に固定するロック機構を備えることが望ましい。
これならば、前記第１係合構造と第２係合構造に加え、さらにロック機構を備えるものであるので、コネクタ要素を電気機器本体にさらに強固に固定することができる。このため、コネクタ要素が電気機器本体から外れ難いだけでなく、コネクタ要素がガタつくことも防止できる。
【００１２】
前記コネクタ要素を前記電気機器本体に接触させて回転させることにより、前記コネクタ要素が前記取付面に取り付けられることが望ましい。このようにコネクタ要素を電気機器本体に対して回転させて取り付ける構成とすることで、第１係合構造及び第２係合構造を無理なく、容易に設計することができる。
【００１３】
前記コネクタ要素は、前記取付面に繋がる前記電気機器本体の側面に接触させて回転させることにより取り付けられることが望ましい。このようにコネクタ要素を電気機器本体の側面に接触させて回転させることにより取り付けられる構成とすることで、さらに、第１係合構造及び第２係合構造を無理なく、容易に設計することができる。
【００１４】
前記コネクタ要素を取り付ける際の回転前半段階で、前記電気機器本体に対して前記コネクタ要素が位置決めされて、回転後半段階で、前記ロック機構により前記コネクタ要素が前記取付面に固定されることが望ましい。これならば、コネクタ要素を電気機器本体に対して回転させるだけで、位置決め及び固定の両者が実現されるため、コネクタ要素を電気機器本体に取り付ける作業を簡単にすることができる。
【００１５】
前記電気機器本体が、前記コネクタ要素の接触端子に接触可能に設けられた受け端子を有する回路基板を備え、前記コネクタ要素が前記取付面に固定された状態において、前記受け端子が、前記接触端子に接触して弾性変形しており、前記ロック機構が解除されると、前記コネクタ要素が、前記受け端子の弾性復帰力によって、取り外し方向に向かって移動するように構成されていることが望ましい。これならば、コネクタ要素を取り外す際に、ロック機構を解除するだけで、コネクタ要素が電気機器本体から持ち上がるので、コネクタ要素を取り外す作業を容易にすることができる。
【００１６】
受け端子の弾性復帰力により取り外し方向に単に移動させる構成では、ロック機構を解除させた際にコネクタ要素の挙動が定まらず、電気機器本体から飛び跳ねて落下してしまう恐れがある。このため、前記ロック機構を解除されると、前記コネクタ要素が、前記受け端子の弾性復帰力によって、所定の接触部を回転中心として取り外し方向に向かって回転移動することが望ましい。これならば、ロックを解除させた際のコネクタ要素の挙動が定まっているので、コネクタ要素が落下しないように取り外すことが容易となる。
【００１７】
前記コネクタ要素を取り付ける際に前記接触端子が前記受け端子を押圧する方向が、前記回路基板の基板平面に略垂直な方向であることが望ましい。これならば、受け端子を回路基板に直接取り付ける構成が容易になる。なお、従来のようにコネクタ要素をスライドさせて取り付ける構成において、受け端子を押圧する方向が回路基板の基板平面に沿った方向（基板平面に平行な方向）の場合には、受け端子を回路基板に直接取り付ける構成ではそれらの接続部に過大な応力が加わるため故障し易く、通常は、電気機器本体のケースに固定している。
【００１８】
前記コネクタ側第２係合部は、前記電気機器本体の取付面に形成された開口部に挿入される中空部を有する挿入部であり、前記接触端子が、前記中空部内に設けられていることが望ましい。これならば、コネクタ要素の着脱時に接触端子を傷めることがない。
また、コネクタ側第２係合部が、コネクタ要素の接触端子を傷めないように保護する機能も有しているので、別途そのような部材を設ける必要もない。
【００１９】
前記コネクタ側第二係合部は、前記電気機器本体に設けたガイド部に接触して移動することが望ましい。これならば、コネクタ側第２係合部をガイド部に接触して移動できるので、本体側第二係合部に簡単に、確実に係合させることができる。
【００２０】
前記ガイド部は円弧状に形成されていることが望ましい。これならば、本体側第２係合部を円弧状のガイド部に接触して移動できるので、より簡単に、確実に本体第二係合部に係合させることができる。
【発明の効果】
【００２１】
このように構成した本発明によれば、ＡＣプラグや変換プラグ等のコネクタ要素を電気機器本体に対して交換可能に構成された電気機器において、第１係合構造及び第２係合構造を有するので、コネクタ要素を確実に電気機器本体に固定することができる。
【図面の簡単な説明】
【００２２】
【図１】本実施形態におけるＡＣアダプタの電気器本体を模式的に示す側面図。
【図２】同実施形態における取付面を主として示す部分拡大斜視図。
【図３】同実施形態におけるプラグの斜視図。
【図４】同実施形態におけるプラグの側面図及び背面図。
【図５】同実施形態におけるプラグの回転前半段階を示す模式図。
【図６】同実施形態におけるプラグの回転前半及び回転後半の中間段階を示す模式図。
【図７】同実施形態におけるプラグの回転後半段階を示す模式図。
【図８】従来の電気機器本体に対するコネクタ要素の固定方式を示す図。
【発明を実施するための形態】
【００２３】
以下に本発明に係る電気機器の一実施形態について図面を参照して説明する。
なお、以下においては、電気機器としてＡＣアダプタについて説明するが、その他、携帯電話機やデジタルカメラ等に用いられる例えばリチウムイオン電池等の電池パックを充電する充電器であっても良いし、プラグを有する電気機器であれば、どのような機器に対しても適用可能である。
【００２４】
本実施形態のＡＣアダプタ１００は、種類の異なる複数のコネクタ要素３を電気機器本体２に対して交換可能に構成されたものである。なお、本実施形態のコネクタ要素３としては、例えば日本や米国で用いられる２本のピンを有するタイプのプラグや、例えば日本や米国以外の外国で用いられる２本のピン及び１本のアースピンを有するタイプのプラグが考えられる。
【００２５】
電気機器本体２は、図１に示すように、例えば概略方形箱型のケース２１と、当該ケース２１の内部に設けられ、図示しない変圧回路及び整流回路等を構成する電気回路の各素子が実装された回路基板２２とを備えている。ケース２１は、樹脂製の第１ケース要素２１１及び第２ケース要素２１２を重ね合わせることにより構成される。第２ケース要素２１２内には、前記回路基板２２が取り付けられている。なお、図１等においてケース２１の側面から延出して例えば給電対象機器に接続されるケーブルは省略しており、一部の内部構造も省略している。
【００２６】
このように構成された電気機器本体２には、コネクタ要素であるプラグ３が交換可能に外付けされるように構成されている。具体的には、電気機器本体２のケース２１の一面、具体的には第２ケース要素２１２の底壁外面（図１では上面）に、プラグ３が取り付けられる取付面２１ｘが形成されている（図２参照）。
【００２７】
プラグ３は、図３及び図４に示すように、電気機器本体２の取付面２１ｘに外付けされるプラグ本体部３１と、当該プラグ本体部３１から突出した一対のプラグピン３２ａ、３２ｂと、一対のプラグピン３２ａ、３２ｂに接続されて、回路基板２２の受け端子２２ａ、２２ｂに接触する接触端子である一対の接点部３３ａ、３３ｂとを有している。このプラグ３は、前記一対のプラグピン３２ａ、３２ｂに加えてアースピンを有する３本のピンを有するものであっても良い。
【００２８】
具体的にプラグ３は、第２ケース要素２１２の取付面２１ｘに取り付けられて、プラグ３の一対の接点部３３ａ、３３ｂが回路基板２２の受け端子２２ａ、２２ｂに直接接触して電気的に接続される。ここで、受け端子は、回路基板でなく電気機器本体部にあってもよい。
【００２９】
プラグ３のプラグ本体３１は、絶縁性を有する樹脂により形成されており、第２ケース要素２１２の取付面２１ｘに外付けされるものである。具体的にプラグ本体３１は、取付面２１ｘに形成された２つの開口部２１Ｈ（図２参照）に挿入される挿入部３１１を有している。
【００３０】
ここで、図２に示すように、取付面２１ｘの２つの開口部２１Ｈの内部には、回路基板２２の受け端子２２ａ、２２ｂが位置している。つまり、回路基板２２の受け端子２２ａ、２２ｂは、開口部２１Ｈの内部に位置することによって、第２ケース要素２１２の取付面２１ｘの外側に延び出ない構成としている。これにより、受け端子２２ａ、２２ｂを外部接触から保護している。
【００３１】
プラグ本体３１の挿入部３１１は、プラグ本体３１の基端面に形成されており、前記開口部２１Ｈに対応した形状を有している。本実施形態では、取付面２１ｘに２つの開口部２１Ｈが形成されているため、前記挿入部３１１も２つの開口部２１Ｈに対応して２つ形成されている。なお、プラグ本体３１の基端面とは、一対のプラグピン３２ａ、３２ｂが設けられる先端面とは反対の面であり、一対の接点部３３ａ、３３ｂが設けられる面である。
【００３２】
また、本実施形態では、一対の接点部３３ａ、３３ｂは、前記挿入部３１１に形成された中空部３１１ｓ内に設けられている。つまり、一方の接点部３３ａは、一方の挿入部３１１の中空部３１１ｓ内に設けられており、他方の接点部３３ｂは、他方の挿入部３１１の中空部３１１ｓ内に設けられている。このように、接点部３３ａ、３３ｂを挿入部３１１の中空部３１１ｓ内に設けることによって、接点部３３ａ、３３ｂを外部接触から保護している。
【００３３】
また、挿入部３１１の中空部３１１ｓには、プラグ３を取付面２１ｘに取り付ける際に、回路基板２２の受け端子２２ａ、２２ｂが挿入されるため、挿入部３１１の互いに対向する側壁３１１ｍ、３１１ｎが、受け端子２２ａ、２２ｂのガイドをして保護する保護構造として機能する。
【００３４】
ここで、一対の受け端子２２ａ、２２ｂは、それぞれ導電性金属板から構成されており、回路基板２２に直接固定されて電気回路に接続されている。また、この一対の受け端子２２ａ、２２ｂは、プラグ３が取付面２１ｘに固定された状態において、一方の受け端子２２ａがプラグ３の一方の接点部３３ａに押圧接触し、他方の受け端子２２ｂがプラグ３の他方の接点部３３ｂに押圧接触する。このとき、各受け端子２２ａ、２２ｂは、各接点部３３ａ、３３ｂの先端面に押圧接触する。
【００３５】
そして、本実施形態では、プラグ３を電気機器本体２に接触させて回転させることにより、プラグ３が電気機器本体２に取り付けられるように構成されている。
【００３６】
具体的には、図５〜図７に示すように、プラグ３の所定部位を電気機器本体２の所定部位に接触させて、当該接触部位を回転中心として、電気機器本体２に対してプラグ３を回転させていくと、プラグ３の挿入部３１１が電気機器本体２の開口部２１Ｈに挿入されて取り付けられる。この取り付け状態において、プラグ３の接点部３３ａ、３３ｂは、回路基板２２の受け端子２２ａ、２２ｂに押圧接触する。
【００３７】
ここで、プラグ３の回転中心となる所定部位は、開口部２１Ｈに挿入される２つの挿入部３１１の後方に形成された後側壁３１２の先端面である（図５参照）。また、電気機器本体２の回転中心となる所定部位は、第２ケース要素２１２において２つの開口部２１Ｈの間に形成される側壁２１２ｎ（図２参照）の角部２１２ｒである（図５参照）。なお、本実施形態の角部２１２ｒは、側壁２１２ｎに形成された凹部２１Ｍ内に形成されている（図５参照）。また、プラグ３が電気機器本体２に取り付けられた状態において、前記後側壁３１２は前記凹部２１Ｍ内に収容される。
【００３８】
そして、本実施形態では、図１〜図３に示すように、プラグ３を電気機器本体２の取付面２１ｘに着脱可能に固定するロック機構４を備えている。
【００３９】
このロック機構４は、プラグ３の接点部３３ａ、３３ｂが回路基板２２の受け端子２２ａ、２２ｂに接触して受け端子２２ａ、２２ｂが弾性変形した状態で、プラグ３を取付面２１ｘに固定するものである。
【００４０】
具合的にロック機構４は、プラグ本体３１の後端面に設けられた係止部４１（図３参照）と、第２ケース要素２１２においてロック位置とアンロック位置との間でスライド移動可能に設けられ、ロック位置において前記係止部４１が係止する被係止部４２（図１及び図２参照）とからなる。この被係止部４２は、電気機器本体２にプラグ３を取り付ける際の回転軸に直交する方向にスライド移動するものであり、ばね等の弾性体４３の付勢力によってロック位置に付勢されている。なお、本実施形態では、ロック位置がアンロック位置よりも前記回転軸（回転中心）側に位置している。
【００４１】
また、被係止部４２は、図２に示すように、平板状をなす被係止プレート４２１を有しており、当該被係止プレート４２１には、係止部４１が係止する被係止孔４２１Ｈと、当該被係止孔４２１Ｈに係止部４１をガイドする傾斜面４２１ａを有している。
【００４２】
そして、プラグ３の所定部位を電気機器本体２の所定部位に接触させて（図５参照）、当該接触部位を回転中心として、電気機器本体２に対してプラグ３を回転させていくと、係止部４１が被係止部４２の傾斜面４２１ａに当接する（図６参照）。さらに、プラグ３を取り付け方向に押圧すると、係止部４１が傾斜面４２１ａを摺動しつつ、被係止プレート４２１がアンロック位置にスライドし、係止部４１が所定位置まで押し込まれると、被係止プレート４２１が弾性体４３の付勢力によってロック位置にスライドして、係止部４１が被係止孔４２１Ｈに係止して、プラグ３が取付面２１ｘにロックされる（図７参照）。
【００４３】
本実施形態では、プラグ３を電気機器本体２に対して回転させて取り付ける際の回転前半段階で、電気機器本体２の取付面２１ｘに対してプラグ３が位置決めされて、回転後半段階で、ロック機構４によりプラグ３が取付面２１に固定されるように構成されている。
【００４４】
具体的に回転前半段階では、電気機器本体２に対してプラグ３を回転させていくと、プラグ３の挿入部３１１の一部が、取付面２１ｘの開口部２１Ｈに挿入される。このように挿入部３１１の一部が開口部２１Ｈに挿入されることによって、プラグ３が取付面２１ｘに対して位置決めされる。つまり、プラグ３の接点部３３ａ、３３ｂが回路基板２２の受け端子２２ａ、２２ｂに対して位置決めされる。なお、回転前半段階は、ロック機構４の係止部４１が被係止部４２の傾斜面４２１ａに接触するまでの段階である（図５→図６）。また、プラグ３の接点部３３ａ、３３ｂが、回路基板２２の受け端子２２ａ、２２ｂに接触するまでの段階としても良い。
【００４５】
一方で、回転後半段階では、回転前半段階で位置決めされたプラグ３をさらに回転させる段階であり（図６→図７）、プラグ３の挿入部３１１の全部が取付面２１ｘの開口部２１Ｈに挿入される。このとき、上述したようにロック機構４の係止部４１が被係止部４２に係止してロックされる。また、回転後半段階において、回路基板２２の受け端子２２ａ、２２ｂが、プラグ３の接点部３３ａ、３３ｂに接触して弾性変形する。この回転後半段階において接点部３３ａ、３３ｂが受け端子２２ａ、２２ｂを押圧する方向は、回路基板２２の基板平面に略垂直な方向である（図７参照）。
【００４６】
そして、本実施形態では、ロック機構４が解除、つまり、被係止部４２の被係止プレートがアンロック位置に操作されると、プラグ３が、受け端子２２ａ、２２ｂの弾性復帰力によって、取り外し方向に向かって移動する。具体的には、ロック機構４が解除されると、プラグ３が、受け端子２２ａ、２２ｂの弾性復帰力によって、所定の接触部（後側壁３１２の先端面）を回転中心として取り外し方向に向かって回転移動する（図６参照）。その結果、プラグ３は、ロック機構４の係止部４１が被係止部４２の傾斜面４２１ａに接触する位置、又は、接点部３３ａ、３３ｂが受け端子２２ａ、２２ｂに接触した状態であって、受け端子２２ａ、２２ｂがプラグ３の自重によってのみ変形した位置となる。これにより、電気機器本体２からプラグ３を取り外し易くしている。
【００４７】
そして、本実施形態の電気機器１００は、図５〜図７に示すように、ロック機構４とは別に設けられて、プラグ３が取付面２１ｘに取り付けられた状態で、取付面２１ｘに垂直な方向（図５等において上下方向）において互いに係合するコネクタ側第１係合部５１及び本体側第１係合部５２からなる第１係合構造５と、ロック機構４及び第１係合構造５とは別に設けられ、プラグ３が取付面２１ｘに取り付けられた状態で、取付面２１ｘの面方向（図５等において左右方向）において互いに係合するコネクタ側第２係合部６１及び本体側第２係合部６２からなる第２係合構造６とを備える。なお、図５及び図７においては、ロック機構４の被係止部４２は図示していない。
【００４８】
プラグ側第１係合部５１は、プラグ３の後側壁３１２の左右外面にそれぞれ形成された凹部により構成されおり、プラグ３が取付面２１ｘに取り付けられた状態で、プラグ取り外し側を向く係合面５１ａを有する。
【００４９】
また、本体側第１係合部５２は、第２ケース要素２１２における凹部２１Ｍの互いに対向する左右内面にそれぞれ形成された凸部により構成されており、プラグ３が取付面２１ｘに取り付けられた状態で、前記プラグ側第１係合部５１の係合面５１ａに対向する係合面５２ａを有する。
【００５０】
この第１係合構造５は、プラグ３を取り付け方向に回転させるのに伴って係合する。なお、プラグ側第１係合部５１及び本体側第１係合部５２は、前記接触部位を回転中心としてプラグ３が回転できるように形成されている。つまり、第１係合構造５は、電気機器本体２に対してプラグ３を回転させる際に、電気機器本体２に対するプラグ３の回転姿勢を保持するためのガイド機構としても機能する。また、第１係合構造５は、上述した回転前半段階におけるプラグ３の取付面２１ｘに対する位置決めにも寄与する。
【００５１】
プラグ側第２係合部６１は、プラグ３の挿入部３１１により構成されており、プラグ３が取付面２１ｘに取り付けられた状態で、取付面２１ｘの面方向に沿った取り外し方向を向く係合面６１ａを有する。
【００５２】
また、本体側第２係合部６２は、第２ケース要素２１２における各開口部２１Ｈの回転中心側に形成されたガイド部７により構成されており、プラグ３が取付面２１ｘに取り付けられた状態で、前記プラグ側第２係合部６１の係合面６１ａに対向する係合面６２ａを有する。このガイド部７は、前記接触部位を回転中心としてプラグ３が回転できるように形成されており、詳細には、プラグ側第２係合部６１である挿入部３１１が、前記接触部位を回転中心として回転可能なように、前記接触部位に対して円弧状に形成されている。
【００５３】
この第２係合構造６は、プラグ３を取り付け方向に回転させるのに伴って係合する。なお、プラグ側第２係合部６１及び本体側第２係合部６２は、前記接触部位を回転中心としてプラグ３が回転できるように形成されている。つまり、第２係合構造６は、電気機器本体２に対してプラグ３を回転させる際に、電気機器本体２に対するプラグ３の回転姿勢を保持するためのガイド機構としても機能する。また、第２係合構造６は、上述した回転前半段階におけるプラグ３の取付面２１ｘに対する位置決めにも寄与する。さらに、プラグ側第２係合部６１は、プラグ３が取付面２１ｘに取り付けられた状態で、本体側第２係合部６２より取付面２１ｘの面方向に沿った取り付け方向側に位置している。
【００５４】
そして、第１係合構造５及び第２係合構造６は、プラグ３の所定部位（後側壁３１２）を電気機器本体２の所定部位（角部２１２ｒ）に接触させて回転させると、プラグ３のプラグ側第１係合部５１が、第２ケース要素２１２の本体側第１係合部５２に噛み合いながら、プラグ３の挿入部３１１（プラグ側第２係合部）が第２ケース要素２１２のガイド部７に接触して移動する。これにより、電気機器本体２に対するプラグ３の回転移動がガイドされる。さらに、ロック機構４によりプラグ３を電気機器本体２に固定することによって、第１係合構造５及び第２係合構造６が係合する。
【００５５】
＜本実施形態の効果＞
このように構成した本実施形態に係るＡＣアダプタ１００によれば、ロック機構４とは別に、取付面２１ｘに垂直な方向において係合する第１係合構造５と、取付面２１ｘの面方向において係合する第２係合構造６とを有するので、ロック機構４に頼ることなく、プラグ３を電気機器本体２に確実に固定することができる。
【００５６】
また、プラグ３を電気機器本体２に接触させて回転させることにより、プラグ３が取付面２１ｘに取り付けられるように構成されているので、第１係合構造５及び第２係合構造６を無理なく、容易に設計することができる。つまり、従来方式のように取付面の面方向に沿ってスライド移動させる構成で、当該スライド方向において係合する係合構造を構成した場合には、スライド移動時に、当該係合構造を係合させるための余計な力を必要とするが、本実施形態では、互いに直交する２方向の係合構造を設けたとしてもプラグ３を回転させて取り付けることによって、係合構造がプラグの取り付けの邪魔になることは無い。
【００５７】
さらに、ロック機構４を解除した際に、受け端子２２ａ、２２ｂの弾性復帰力によって、プラグ３が取り外し方向に向かって移動するように構成されているので、ロック機構４を解除するだけで、プラグ３が電気機器本体２から持ち上がるので、プラグ３を取り外す作業を容易にすることができる。ここで、プラグ３が所定の接触部を回転中心として取り外し方向に向かって回転移動するように構成されているので、ロック機構４を解除させた際のプラグ３の挙動が定まり、プラグ３が落下しないように取り外すことが容易となる。
【００５８】
なお、本発明は前記実施形態に限られるものではない。
例えば、前記実施形態では、ロック機構４の係止部４１がプラグ３に設けられ、被係止部４２が電気機器本体２に設けられているが、それらを逆に設けても良い。
【００５９】
また、前記実施形態では、第１係合構造及び第２係合構造がガイド機構として機能するものであったが、各係合構造がガイド機構として機能しないように構成しても良い。このとき、係合構造とは別にガイド機構を設けるようにしても良い。
【００６０】
その他、本発明は前記実施形態に限られず、その趣旨を逸脱しない範囲で種々の変形が可能である。
【符号の説明】
【００６１】
１００・・・電気機器（ＡＣアダプタ）
２・・・電気機器本体
２１・・・ケース
２１Ｈ・・・開口部
２１ｘ・・・取付面
２２・・・回路基板
２２ａ、２２ｂ・・・受け端子
３・・・プラグ（コネクタ要素）
３３ａ、３３ｂ・・・接点部（接触端子）
３１１・・・挿入部
４・・・固定機構
５・・・第１係合構造
５１・・・プラグ側第１係合部
５２・・・本体側第１係合部
６・・・第２係合構造
６１・・・プラグ側第２係合部
６２・・・本体側第２係合部
【図１】
2015125867.tif 000003
【図２】
2015125867.tif 000004
【図３】
2015125867.tif 000005
【図４】
2015125867.tif 000006
【図５】
2015125867.tif 000007
【図６】
2015125867.tif 000008
【図７】
2015125867.tif 000009
【図８】
2015125867.tif 000010